(57)【要約】【課題】  スライド動作と回動動作が行える上に、他方の筐体を一方の筐体に反転した状態で重ね合わせて閉成状態を形成することができる携帯機器を提供する。【解決手段】  第１筐体と第２筐体を互いに重ね合わせた状態で相対的に直線方向に開閉可能にスライドさせるスライド機構と、第１筐体と第２筐体を直線方向と直交する方向へ相対的に開閉可能に回動させる回動機構と、第１筐体及び第２筐体のいずれか一方の筐体に対していずれか他方の筐体を反転させる反転機構とを備えて、第１筐体と第２筐体を相対的に直線方向にスライドさせるか又は回動させて閉成状態と開成状態を形成し、かつ、他方の筐体を一方の筐体に対して反転した状態で重ね合わせて閉成状態を形成するように構成したことにより、前記課題を解決した。【選択図】        図１
2006332331.tif 000002
【特許請求の範囲】
【請求項１】
第１筐体と第２筐体からなり、これらの第１筐体及び第２筐体のいずれか一方の筐体の上面を前記第１筐体及び前記第２筐体のいずれか他方の筐体で覆う閉成状態と、前記一方の筐体の上面を露出させる開成状態とを形成する携帯機器であって、
前記第１筐体と前記第２筐体を互いに重ね合わせた状態で相対的に直線方向に開閉可能にスライドさせるスライド機構と、前記第１筐体と前記第２筐体を前記直線方向と直交する方向へ相対的に開閉可能に回動させる回動機構と、前記一方の筐体に対して前記他方の筐体を反転させる反転機構とを備え、
前記第１筐体と前記第２筐体を相対的に直線方向にスライドさせるか又は回動させて前記閉成状態と前記開成状態を形成し、かつ、前記他方の筐体を前記一方の筐体に対して反転した状態で重ね合わせて閉成状態を形成するように構成したことを特徴とする、携帯機器。
【請求項２】
前記スライド機構が、前記直線方向に延びるガイド溝を有するベース部材と、前記ガイド溝にスライド係合するスライダーと、前記ベース部材に対する前記スライダーの移動を制御するスライド移動制御部とを備え、
前記回動機構が、前記ベース部材を有するガイド筐体と、このガイド筐体及び前記一方の筐体のどちらか一方に設けられた回動凹部と、この回動凹部と回動可能に係合し、前記ガイド筐体及び前記一方の筐体のどちらか他方に設けられる回動凸部と、前記一方の筐体に対するガイド筐体の回動を制御する第１カム機構とを備え、
前記反転機構が、前記スライダー及び前記他方の筐体のいずれか一方に取り付けられる反転シャフトと、この反転シャフトに回動可能に係合し、前記スライダー及び前記他方の筐体のいずれか他方に取り付けられるブラケットと、前記反転シャフトに対する前記ブラケットの回動を制御する反転制御機構とを備え、
前記スライド機構及び前記回動機構のいずれか一方の機構による閉成状態の前記第１筐体及び前記第２筐体の移動を許容すると共に、前記一方の機構により移動して閉成状態以外の状態になった前記第１筐体及び前記第２筐体の前記スライド機構及び前記回動機構のいずれか他方の機構による移動を抑制するロック機構を設けたことを特徴とする、請求項１に記載の携帯機器。
【請求項３】
前記回動凸部が、前記第１カム機構を有する凸部ユニットに設けられ、この凸部ユニットが、回動シャフトと、この回動シャフトの先端部の外周にその軸周りに回動可能であってその軸方向に移動可能で、かつ、前記回動凸部と対向する前記回動凹部に係合する第１カムと、前記回動シャフトの軸方向に移動可能で前記第１カムと面接触する第２カムと、この第２カムを前記第１カムに付勢する付勢手段と、前記第１カムの接触面と前記第２カムの接触面の少なくとも一方に設けられるカム凸部と、このカム凸部と係合して前記一方の筐体と前記ベース部材の位置を所定の位置にロック状態に保持し、前記カム凸部と対向する前記第１カムの接触面及び／又は前記第２カムの接触面に設けられるカム凹部とで構成されていることを特徴とする、請求項２に記載の携帯機器。
【請求項４】
前記反転機構を、前記反転シャフトに対する前記ブラケットの回動範囲を１８０°に規制する回転規制部と、前記反転シャフトに対する前記ブラケットを所定の位置にロック状態に保持する第２カム機構とで構成したことを特徴とする、請求項２又は３に記載の携帯機器。
【請求項５】
前記第２カム機構が、前記反転シャフトの外周にその軸周りに回動可能であってその軸方向に移動可能である前記ブラケットと、前記反転シャフトの軸方向に移動可能で前記ブラケットと面接触する反転カムと、この反転カムを前記ブラケットに付勢する付勢手段と、前記ブラケットの接触面と前記反転カムの接触面の少なくとも一方に設けられるカム反転凸部と、このカム反転凸部と係合して前記ブラケットと前記反転カムの位置を所定の位置にロック状態に保持し、前記カム反転凸部と対向する前記第ブラケットの接触面及び／又は前記反転カムの接触面に設けられるカム反転凹部とで構成されていることを特徴とする、請求項４に記載の携帯機器。
【請求項６】
前記ロック機構が、前記一方の筐体の上面に対向して設けられた回動部と、これら回動部及び前記回動部間の上面で形成される略凹部に嵌合されて前記回動部間で前記他方の筐体を回動可能に支持すべく略凸状に形成された前記他方の筐体の一方の側部と、前記他方の筐体の一方の側部及び前記回動部の一方に設けられた第１切欠部と、前記他方の筐体の一方の側部及び前記回動部の他方に設けられ、前記第１筐体及び前記第２筐体が閉成状態のとき、前記第１筐体及び前記第２筐体のスライドを許容すると共に、前記第１筐体及び前記第２筐体がスライドして閉成状態以外のとき、前記第１切欠部と係合して前記第１筐体及び前記第２筐体の回動をロックする第２切欠部とで構成されていることを特徴とする、請求項２〜５のいずれか１項に記載の携帯機器。
【請求項７】
前記ロック機構は、第１筐体２に対する第２筐体３の回動角度が所定の角度のときのみ、第１筐体２に対して第２筐体３を反転させる反転部を備えていることを特徴とする、請求項２〜６のいずれか１項に記載の携帯機器。
【発明の詳細な説明】
【技術分野】
【０００１】
本発明は、携帯電話機、ノート型のパソコン、ビデオカメラ、及びその他の携帯機器等のキーボード部を設けた本体部を構成する第１筐体とＬＣＤ等の表示部を構成する第２筐体を互いに開閉させる携帯機器に関するものである。
【背景技術】
【０００２】
携帯電話機、ノート型のパソコン、ビデオカメラ、及びその他の携帯機器等において、キーボード部等を上面に設けた第１筐体と、ＬＣＤ等の表示部等を設けた第２筐体とを有し、これらの第１筐体と第２筐体を互いに直線方向にスライドさせて開閉する携帯機器が市場に出回っている。この携帯機器としては、第１筐体と第２筐体が完全に重なり合って第２筐体で第１筐体の上面を覆う閉成状態と、第２筐体を第１筐体に対してその長手方向へスライドさせて第１筐体の上面を露出させる開成状態とを作り出す、スライド機構付きのものが市場に出回っている（例えば、特許文献１参照。）。
【特許文献１】特開２００３−１２５０５２号公報
【発明の開示】
【発明が解決しようとする課題】
【０００３】
近年、携帯機器は、インターネット等の通信回線を利用したり、ＬＣＤ等の表示部に動画を表示させたり、タッチパネル機能を備えたり多機能化している。このため、特許文献１に記載されている携帯機器は、第１筐体と第２筐体を長手方向の直線方向にスライドさせる構造であると、表示部を縦長にのみ利用することしかできず、機能を十分に発揮することができない。また、第１筐体と第２筐体を互いに回動可能に開閉する携帯機器が市場に出回っているが、このような携帯機器においても第１筐体に対する第２筐体の開閉方向が長手方向であるので、表示部を縦長にのみ利用することしかできず、前記の機能を十分に発揮することができない。また、第１筐体と第２筐体とを長手方向に開閉させる以外に幅方向に開閉させることができるようにした携帯機器が提案されている。このような携帯機器は、長手方向と幅方向の２方向に開閉させることができるが、例えば、動画を観たり、タッチパネル機能を使用したりする場合には、第１筐体に対して第２筐体を開いた状態のままにしておく必要はなく、第１筐体と第２筐体を互いに重ね合わせてしまうようにすれば、操作性が向上することになる。
【０００４】
本発明は、前記課題を解決するためになされたものであって、その目的は、スライド動作と回動動作が行える上に、他方の筐体を一方の筐体に反転した状態で重ね合わせて閉成状態を形成することができる携帯機器を提供することにある。
【課題を解決するための手段】
【０００５】
前記の目的を達成するための本発明に係る携帯機器は、第１筐体と第２筐体からなり、これらの第１筐体及び第２筐体のいずれか一方の筐体の上面を前記第１筐体及び前記第２筐体のいずれか他方の筐体で覆う閉成状態と、前記一方の筐体の上面を露出させる開成状態とを形成する携帯機器であって、前記第１筐体と前記第２筐体を互いに重ね合わせた状態で相対的に直線方向に開閉可能にスライドさせるスライド機構と、前記第１筐体と前記第２筐体を前記直線方向と直交する方向へ相対的に開閉可能に回動させる回動機構と、前記一方の筐体に対して前記他方の筐体を反転させる反転機構とを備え、前記第１筐体と前記第２筐体を相対的に直線方向にスライドさせるか又は回動させて前記閉成状態と前記開成状態を形成し、かつ、前記他方の筐体を前記一方の筐体に対して反転した状態で重ね合わせて閉成状態を形成するように構成したことを特徴とする。
【０００６】
この発明によれば、スライド機構と回動機構を備えたので、第１筐体と第２筐体を互いに２方向に開閉動作させることができる。また、反転機構を備えたので、他方の筐体例えば第２筐体を一方の筐体例えば第１筐体に対して反転させてこの状態で第１筐体と第２筐体を互いに重ね合わせて閉成状態を形成することができる。従って、スライド動作と回動動作が行える上に、他方の筐体を一方の筐体に反転した状態で重ね合わせて閉成状態を形成することができる携帯機器が得られる。
【０００７】
本発明に係る携帯機器において、前記スライド機構が、前記直線方向に延びるガイド溝を有するベース部材と、前記ガイド溝にスライド係合するスライダーと、前記ベース部材に対する前記スライダーの移動を制御するスライド移動制御部とを備え、前記回動機構が、前記ベース部材を有するガイド筐体と、このガイド筐体及び前記一方の筐体のどちらか一方に設けられた回動凹部と、この回動凹部と回動可能に係合し、前記ガイド筐体及び前記一方の筐体のどちらか他方に設けられる回動凸部と、前記一方の筐体に対するガイド筐体の回動を制御する第１カム機構とを備え、前記反転機構が、前記スライダー及び前記他方の筐体のいずれか一方に取り付けられる反転シャフトと、この反転シャフトに回動可能に係合し、前記スライダー及び前記他方の筐体のいずれか他方に取り付けられるブラケットと、前記反転シャフトに対する前記ブラケットの回動を制御する反転制御機構とを備え、前記スライド機構及び前記回動機構のいずれか一方の機構による閉成状態の前記第１筐体及び前記第２筐体の移動を許容すると共に、前記一方の機構により移動して閉成状態以外の状態になった前記第１筐体及び前記第２筐体の前記スライド機構及び前記回動機構のいずれか他方の機構による移動を抑制するロック機構を設けることが好ましい。
【０００８】
また、本発明に係る携帯機器において、前記回動凸部が、前記第１カム機構を有する凸部ユニットに設けられ、この凸部ユニットが、回動シャフトと、この回動シャフトの先端部の外周にその軸周りに回動可能であってその軸方向に移動可能で、かつ、前記回動凸部と対向する前記回動凹部に係合する第１カムと、前記回動シャフトの軸方向に移動可能で前記第１カムと面接触する第２カムと、この第２カムを前記第１カムに付勢する付勢手段と、前記第１カムの接触面と前記第２カムの接触面の少なくとも一方に設けられるカム凸部と、このカム凸部と係合して前記一方の筐体と前記ベース部材の位置を所定の位置にロック状態に保持し、前記カム凸部と対向する前記第１カムの接触面及び／又は前記第２カムの接触面に設けられるカム凹部とで構成されていることが好ましい。
【０００９】
また、本発明に係る携帯機器において、前記反転機構を、前記反転シャフトに対する前記ブラケットの回動範囲を１８０°に規制する回転規制部と、前記反転シャフトに対する前記ブラケットを所定の位置にロック状態に保持する第２カム機構とで構成することが好ましい。また、本発明に係る携帯機器において、前記第２カム機構が、前記反転シャフトの外周にその軸周りに回動可能であってその軸方向に移動可能である前記ブラケットと、前記反転シャフトの軸方向に移動可能で前記第ブラケットと面接触する反転カムと、この反転カムを前記ブラケットに付勢する付勢手段と、前記ブラケットの接触面と前記反転カムの接触面の少なくとも一方に設けられるカム反転凸部と、このカム反転凸部と係合して前記ブラケットと前記反転カムの位置を所定の位置にロック状態に保持し、前記カム反転凸部と対向する前記ブラケットの接触面及び／又は前記反転カムの接触面に設けられるカム反転凹部とで構成されていることが好ましい。
【００１０】
また、本発明に係る携帯機器において、前記ロック機構が、前記一方の筐体の上面に対向して設けられた回動部と、これら回動部及び前記回動部間の上面で形成される略凹部に嵌合されて前記回動部間で前記他方の筐体を回動可能に支持すべく略凸状に形成された前記他方の筐体の一方の側部と、前記他方の筐体の一方の側部及び前記回動部の一方に設けられた第１切欠部と、前記他方の筐体の一方の側部及び前記回動部の他方に設けられ、前記第１筐体及び前記第２筐体が閉成状態のとき、前記第１筐体及び前記第２筐体のスライドを許容すると共に、前記第１筐体及び前記第２筐体がスライドして閉成状態以外のとき、前記第１切欠部と係合して前記第１筐体及び前記第２筐体の回動をロックする第２切欠部とで構成されていることが好ましい。また、本発明に係る携帯機器において、前記ロック機構は、第１筐体２に対する第２筐体３の回動角度が所定の角度のときのみ、第１筐体２に対して第２筐体３を反転させる反転部を備えていることが好ましい。
【発明の効果】
【００１１】
以上説明したように本発明に係る携帯機器によれば、第１筐体と第２筐体を互いに重ね合わせた状態で相対的に直線方向に開閉可能にスライドさせるスライド機構と、第１筐体と第２筐体を直線方向と直交する方向へ相対的に開閉可能に回動させる回動機構と、第１筐体及び第２筐体のいずれか一方の筐体に対して他方の筐体を反転させる反転機構とを備えたので、スライド動作と回動動作が行える上に、他方の筐体を一方の筐体に反転した状態で重ね合わせて閉成状態を形成することができる。
【発明を実施するための最良の形態】
【００１２】
以下、本発明に係る携帯機器を添付図面に基づいて詳述する。
【００１３】
図１〜図３は本発明に係る携帯機器の一例を示す図である。図４及び図５は本発明に係るスライド機構及び反転機構の一例を示す図である。図６は本発明に係る凸部ユニットの一例を示す図である。本発明に係る携帯機器は、図１〜図３に示すように、第１筐体２と第２筐体３からなり、これらの第１筐体２及び第２筐体３のいずれか一方の筐体例えば第１筐体２の上面を第１筐体２及び第２筐体３のいずれか他方の筐体例えば第２筐体３で覆う閉成状態と、第１筐体２の上面を露出させる開成状態とを形成するものである。
【００１４】
携帯機器１としては、特に限定されず、例えば、携帯電話機、ノート型のパソコン、ビデオカメラ、携帯ゲーム機等が挙げられる。なお、本実施の形態では、携帯機器１は特に限定せずに説明する。
【００１５】
第１筐体２は、図１、図３び図７に示すように、例えば、キーボード部２ａ等を上面に有している。第１筐体２は、平面視略矩形状に形成されている。第２筐体３は、図１、図３及び図８に示すように、ＬＣＤなどの表示部等を有している。第２筐体３は、第１筐体２と略同じ平面視略矩形状であって第１筐体２の厚さとほぼ同じ厚さで形成されている。第２筐体３の一方の面（第１面ということがある。）の略半分には、第１表示部１１が設けられていると共に、その他方の面（第２面ということがある。）の略全域には、第２表示部１２が設けられている。また、第１面には、操作や電源等のボタン１３が設けられている。また、第２筐体３の一方の側部（第１側部３１ということがある。）には、後述するブラケット６１を取り付けるためのブラケット取付部３ａが設けられている。
【００１６】
これらの第１筐体２と第２筐体３とが互いに重ね合わされた閉成状態から第１筐体２に対して第２筐体３をその長手方向の直線方向に相対的にスライド移動させたり回動させたりし得るように第１筐体２と第２筐体３がヒンジ装置１０を介して連結されて携帯機器１が構成されている。すなわち、この携帯機器１は、第１筐体２の上面に第２筐体３の一方の面が互いに重ね合わされてキーボード部２ａ等を閉塞すると共に、第１筐体２の上面から第２筐体３が移動してキーボード部２ａ等を露出させることができるようになっている。
【００１７】
本発明に係る携帯機器１は、第１筐体２と第２筐体３を互いに重ね合わせた状態で相対的に直線方向に開閉可能にスライドさせるスライド機構４と、第１筐体２と第２筐体３を直線方向と直交する方向へ相対的に開閉可能に回動させる回動機構５と、第１筐体２に対して第２筐体３を反転させる反転機構６とを備え、第１筐体２と第２筐体３を相対的に直線方向にスライドさせるか又は回動させて閉成状態と開成状態を形成し、かつ、第２筐体３を第１筐体２に対して反転した状態で重ね合わせて閉成状態を形成するように構成したことに特徴がある。すなわち、本発明に係る携帯機器１は、第１筐体２と第２筐体３がヒンジ装置１０によって連結され、このヒンジ装置１０がスライド機構４と回動機構５と反転機構６とを備えて構成されている。
【００１８】
スライド機構４は、図１、図４及び図５に示すように、例えば、第１筐体２の長手方向に延びるガイド溝４１を有するベース部材４２と、ガイド溝４１にスライド係合するスライダー４３と、ベース部材４２に対するスライダー４３の移動を制御するスライド移動制御部４４とで構成されていることが好ましい。
【００１９】
ベース部材４２は、図１、図４、図５、図９〜図１２に示すように、ガイド溝４１を有するスライドベース４２ａと、このスライドベース４２ａに取り付けられるスライドカバー４２ｂとからなり、これらのスライドベース４２ａとスライドカバー４２ｂとの間にキャリアー４５を収容する矩形状のキャリアー収容部４２ｃが形成される。ガイド溝４１は、スライドベース４２ａの長手方向に延びて形成されている。ガイド溝４１の一方の端部（第１端部４１ａということがある。）は、円形状に形成されている。
【００２０】
スライダー４３は、ベース部材４２内に収容されるキャリアー４５と、キャリアー４５と係合してガイド溝４１から突出するシャフト４８とからなる。キャリアー４５は、略矩形板状に形成されている。キャリアー４５の幅は、キャリアー収容部４２ｃの幅より短く、かつ、ガイド溝４１の幅より大きな寸法、例えば、キャリアー収容部４２ｃの幅より若干短い寸法で形成されていることが好ましい。キャリアー４５の中央部には、シャフト４８が嵌合する嵌合孔４５ａが設けられている。嵌合孔４５ａは、例えば、キャリアー４５の長手方向に延び互いに平行な直線部とこれらの直線部の両端部を連結する円弧部とからなる略長円状に形成されている。シャフト４８は、ガイド溝４１から突出するシャフト部４８ａと、シャフト部４８ａのベース部材４２側に位置される端部に設けられたフランジ部４８ｂとからなる。フランジ部４８ｂは、キャリアー４５の嵌合孔４５ａに嵌合する形状に形成されていると共に、フランジ部４８ｂに嵌合したキャリアー４５がフランジ部４８ｂ側の端部から抜け出ないように抜け出防止部４８ｃが形成されている。
【００２１】
スライド移動制御部４４は、ベース部材４２に対するスライダー４３の移動を制御するものである。スライド移動制御部４４は、特に限定されず、例えば、キャリアー４５に設けられた係合凸部４６と、この係合凸部４６と係合し、スライドカバー４２ｂに設けられた係合凹部４７とからなる。キャリアー４５の両端部の略中央部には、可撓性を有する可撓部４５ｂがそれぞれ設けられている。これらの可撓部４５ｂのスライドカバー４２ｂ側の表面に、表面から突出する係合凸部４６がそれぞ設けられている。係合凹部４７は、ガイド溝４１の第１端部４１ａにスライダー４３が位置されたときに、ガイド溝４１とは反対側の係合凸部４６に対向する位置のスライドカバー４２ｂに１つ第１係合凹部４７ａとして設けられていると共に、ガイド溝４１の残りの端部（第２端部４１ｂということがある。）にスライダー４３が位置されたときに、ガイド溝４１とは反対側の係合凸部４６に対向する位置のスライドカバー４２ｂに１つ第２係合凹部４７ｂとして設けられている。これにより、スライダー４３は、ガイド溝４１の両端部に位置されたとき、係合凸部４６と係合凹部４７が係合してロック状態に保持されるようになっている。
【００２２】
回動機構５は、例えば、ベース部材４２が設けられたガイド筐体５１と、このガイド筐体５１及び第１筐体２のどちらか一方に設けられた回動凹部５２と、この回動凹部５２と回動可能に係合し、ガイド筐体５１及び第１筐体２のどちらか他方に設けられる回動凸部５３と、第１筐体２に対するガイド筐体５１の回動を制御する第１カム機構５４とで構成されていることが好ましい。
【００２３】
ガイド筐体５１は、第１筐体２に回動可能に設けられている。第１筐体２の上面の両端部近傍であって一方の側部近傍には、図１、図３及び図７に示すように、上面から突出する回動部２１、２２が対向するようにそれぞれ設けられている。これらの回動部２１、２２間にガイド筐体５１が回動可能に設けられている。また、第１筐体２の上面の回動部２１、２２間には、ガイド筐体５１の回動範囲を例えば回動角度が０°〜１５０°となるように規制するガイド筐体回動規制部２３が設けられている。この場合の回動角度とは、第１筐体２の幅方向に延びる直線と第２筐体３の幅方向に延びる直線との角度であり、この回動角度が０°のときに、第１筐体２と第２筐体３が互いに重なり合った閉成状態となるように第１筐体２が第２筐体３にヒンジ装置１を介して連結されていることが好ましい。なお、本発明において０°というときには、０°前後を含むものとする。また、本発明において１５０°というときには、１５０°前後を含むものとする。
【００２４】
ガイド筐体５１は、図１、図３及び図１３に示すように、例えば、棒状に形成されている。ガイド筐体５１の長さ（長手方向の長さ）は、回動部２１、２２間の長さより若干短い寸法で形成されていることが好ましい。ガイド筐体５１の側面は、例えば、ベース部材４２を収容する収容部５５が設けられた平面状のスライド面５１ａと、このスライド面５１ａの両端部から直交する方向に延び互いに平行な平行面５１ｂと、これらの平行面５１ｂの先端部を連結する断面半円状の半円面５１ｃとからなる。収容部５５は、ガイド筐体５１のスライド面５１ａの略中央部から一方の端部近傍にかけて設けられている。スライド面５１ａの略中央部側の収容部５５の端部は、円形状に回転端部５５ａとして形成されている。また、収容部５５が設けられている側のガイド筐体５１の一方の端面（第１端面５１ｄということがある。）には、軸方向に延びる円弧状の挿入孔５６が設けられている。この挿入孔５６は、スライド面５１ａ、両平行面５１ｂ及び半円面５１ｃの一部近傍に沿って設けられ、その一部が収容部５５に連通されている。
【００２５】
回動凹部５２及び回動凸部５３は、互いに係合して第１筐体２とガイド筐体５１を回動可能に支持するものである。回動凹部５２及び回動凸部５３は、図１及び図７に示すように、第１筐体２の両回動部２１、２２の内面（対向する側の表面）及びガイド筐体５１の両端面５１ｄ、５１ｅにそれぞれ１組ずつ合計２組設けられており、例えば、収容部５５が設けられている側が第１回動凹部５２ａ及び第１回動凸部５３ａと、残りが第２回動凹部５２ｂ及び第２回動凸部５３ｂとする。第１回動凸部５３ａ及び第２回動凸部５３ｂの両方又はどちらか一方、例えば、第２回動凸部５３ｂが第１カム機構５４を有する凸部ユニット５７を備えていることが好ましい。
【００２６】
第１回動凹部５２ａ及び第１回動凸部５３ａは、ガイド筐体５１の第１端面５１ｄ及びその第１端面５１ｄと対向する第１筐体２の回動部（第１回動部２１ということがある。）の内面に設けられている。例えば、第１回動部２１の内面に、その内面から突出する円柱状の第１回動凸部５３ａが設けられていると共に、ガイド筐体５１の第１端面５１ｄに、その第１回動凸部５３ａと係合する第１回動凹部５２ａが設けられている。第２回動凹部５２ｂ及び第２回動凸部５３ｂは、ガイド筐体５１の他方の端面（第２端面５１ｅということがある。）及びその第２端面５１ｅと対向する第１筐体２の回動部（第２回動部２２ということがある。）の内面に設けられている。例えば、ガイド筐体５１の第２端面５１ｅに、第２回動凸部５３ｂが設けられていると共に、第２回動部２２の内面に、その第２回動凸部５３ｂと係合する第２回動凹部５２ｂが設けられている。これにより、第１筐体２に対してガイド筐体５１が回動可能に支持されている。
【００２７】
凸部ユニット５７は、図１及び図６に示すように、ガイド筐体５１の第２端面５１ｅのユニット収容部５１ｆに付勢手段例えばスプリング７９を介して嵌合されて収容されている。凸部ユニット５７は、例えば、ケース７１と、このケース７１に回動可能に設けられる回動シャフト７２と、この回動シャフト７２の先端部の外周にその軸周りに回動可能であってその軸方向に移動可能で、かつ、第２回動凹部５２ｂに係合する第１カム７３と、回動シャフト７２の軸方向に移動可能で第１カム７３と面接触する第２カム７４と、第１筐体２に対するガイド筐体５１の回動を制御する第１カム機構５４とで構成されていることが好ましい。
【００２８】
ケース７１は、図１、図６及び図１４に示すように、ユニット収容部５１ｆに嵌合されて収容される有底の略矩形筒状に形成されている。すなわち、ケース７１は、ケース７１の長手方向に延び互いに平行な直線部とこれらの直線部の両端部を連結する円弧部とからなる略長円状に形成されている。ケース７１の底部には、回動シャフト７２が貫通される貫通孔７１ａが設けられている。貫通孔７１ａは、回動シャフト７２の径より大きな径、例えば若干大きな径で形成されていることが好ましい。
【００２９】
回動シャフト７２は、例えば、中空状、すなわち円筒状に形成されている。回動シャフト７２の後端部には、フランジ部７２ａが設けられている。この回動シャフト７２は、ケース７１の底部の外表面から先端部がケース７１内に挿入されて収容されケース７１に回転可能に取り付けられると共に、先端部がケース７１の開口部から突出する長さ（長手方向の長さ）で形成されている。回動シャフト７２は、ケース７１に取り付けられたとき、開口部から突出する部分の外周が縮径されて第１カム装着部７２ｂとして形成されている。
【００３０】
第１カム機構５４は、例えば、第１筐体２に対してガイド筐体５１すなわち第２筐体３を所定の位置にロック状態に保持するものである。第１カム機構５４は、例えば、第１筐体２に対して第２筐体３を０°〜１５０°の回動角度の範囲で回動し得る場合、０°及び１５０°の２つの角度でロック状態に保持するように構成されていることが好ましい。
【００３１】
第１カム機構５４は、回動シャフト７２の先端部の外周の第１カム装着部７２ｂにその軸周りに回動可能であってその軸方向に移動可能に設けられた第１カム７３と、ケース７１内に収容され、回動シャフト７２の軸方向に移動可能で第１カム７３と面接触する第２カム７４と、第２カム７４を第１カム７３に付勢する付勢手段７５と、第１カム７３の接触面及び第２カム７４の接触面の少なくとも一方の面例えば第２カム７４の接触面に設けられるカム凸部７６と、第１カム７３の接触面及び第２カム７４の接触面の少なくとも他方の面例えば第１カム７３の接触面に設けられ、カム凸部７６と係合して第１筐体２と第２筐体３の位置を所定の位置にロック状態に保持するカム凹部７７とで構成されていることが好ましい。
【００３２】
第１カム７３は、図６及び図１５に示すように、例えば、ケース７１と略同じ形状、すなわち略長円状に形成されている。第１カム７３の中央部には、回動シャフト７２の第１カム装着部７２ｂが貫通する貫通孔７３ａが設けられている。この貫通孔７３ａは、回動シャフト７２の第１カム装着部７２ｂの径より大きな径、例えば回動シャフト７２の径より若干大きな径で形成されていることが好ましい。
【００３３】
第２カム７４は、図６及び図１６に示すように、ケース７１内に嵌合された状態で収容されてケース７１内では回動シャフト７２の軸周りに回動することがない略長円状に形成されている。第２カム７４の中央部には、回動シャフト７２が貫通する貫通孔７４ａが設けられている。この貫通孔７４ａは、例えば、回動シャフト７２の径より若干大きな径で形成されていることが好ましい。第２カム７４の両側部には、ケース７１内に嵌合して第２カム７４の回動シャフト７２の軸周りの回転を防止する回転防止部７４ｂが設けられており、第２カム７４は回動シャフト７２の軸方向に移動可能であるが、その軸周りに回転できないようになっている。
【００３４】
カム凸部７６は、第１カム７３の接触面及び第２カム７４の接触面のいずれか一方の接触面、例えば、第２カム７４の接触面に設けられている。カム凸部７６は、第２カム７４の接触面に１８０°間隔で２つ設けられている。すなわち、２つのカム凸部７６は、対称に設けられている。これらのカム凸部７６の形状は、特に限定されないが、先端部がＲ形状の略三角形状に突出して形成されている。カム凸部７６間の接触面は、平面状に形成されていることが好ましい。
【００３５】
カム凹部７７は、図６及び図１５に示すように、第１カム７３の接触面及び第２カム７４の接触面のいずれか他方の接触面、例えば、第１カム７３の接触面（カム凸部７６と対向する接触面に４つ設けられている。４つのカム凹部７７のうちの２つは、１８０°間隔で、対称に接触面に設けられており、例えば、回動角度が０°で２つのカム凸部７６とそれぞれ係合するように配置されていることが好ましい。また、残りの２つのカム凹部７７は、１８０°間隔で、対称に接触面に設けられており、例えば、回動角度が１５０°で２つのカム凸部７６と係合するように配置されていることが好ましい。また、４つのカム凹部７７以外の接触面は、平面状に形成されていることが好ましい。また、第２カム７４の残りの面（付勢面ということがある。）は、平面状に形成されていることが好ましい。この付勢面とケース７１の底部との間には、付勢手段７５が設けられている。
【００３６】
付勢手段７５は、例えば、圧縮コイルスプリング７５ａ等である。圧縮コイルスプリング７５ａは、回動シャフト７２の外周に設けられており、一端部が第２カム７４の付勢面に当接されていると共に、他端部がケース７１の底部に当接され、第２カム７４を第１カム７３に押圧するように付勢するものである。これにより、第１カム７３と第２カム７４との間に作用する摩擦力がそれぞれ大きくなって第１筐体２と第２筐体３をその回動範囲の任意の位置で停止することができるようになっている。
【００３７】
すなわち、第１筐体２の上面が第２筐体３で覆われた状態が閉成状態である。このときの回動角度が０°である。この閉成状態から第１筐体２と第２筐体３が開成方向に相対的に回動して回動角度が１５０°になると、カム凸部７６がカム凹部７７に入り込んで係合してロック状態に保持される。この状態が第２開成状態である。なお、カム凸部７６を第１カムの接触面に設けると共にカム凹部７７を第２カムの接触面に設けて第１筐体２と第２筐体３とを互いに回動可能に開閉させるようにしてもよい。
【００３８】
反転機構６は、図１、図４及び図５に示すように、例えば、スライダー４３及び第２筐体３のいずれか一方例えばスライダー４３に取り付けられる反転シャフトと、この反転シャフトに回動可能に係合し、スライダー４３及び第２筐体３のいずれか他方例えば第２筐体３に取り付けられるブラケット６１と、反転シャフトに対するブラケット６１の回動を制御する反転制御機構６２とで構成されていることが好ましい。
【００３９】
反転シャフトは、図５及び図１２に示すように、前記のスライド機構４のシャフト４８である。このシャフト４８のシャフト部４８ａの先端部には、対向する側部が平行に切り欠かれた略長円状に形成されたカムフォロワー装着部４８ｄ、スプリング装着部４８ｅ及びワッシャー装着部４８ｆがシャフト部４８ａの中央部から先端部にかけて順に設けられている。シャフト４８のシャフト部４８ａの外周に、シリンダーカム６３とブラケット６１がシャフト４８の軸周りに回転可能に設けられている。
【００４０】
シリンダーカム６３は、図５及び図１８に示すように、円筒状に形成されている。シリンダーカム６３の内径は、シャフト部４８ａの径より若干大きな寸法で形成されていることが好ましい。シリンダーカム６３の外径は、ガイド溝４１の第１端部４１ａの径より若干小さな寸法で形成されていることが好ましい。
【００４１】
シリンダーカム６３の一方の端部（シャフト４８のフランジ部４８ｂと接する側の端部（第１端部６３ａということがある。））であってガイド溝４１に位置される箇所は、対向する２箇所が互いに平行に切り欠かれたスライド規制部６４として形成されている。このスライド規制部６４の幅は、ガイド溝４１の幅より若干短い寸法で形成されていることが好ましい。これにより、シャフト４８に対してシリンダーカム６３が回動してスライド規制部６４がガイド溝４１の長手方向と平行となるとスライダー４３すなわちシリンダーカム６３がガイド溝４１に沿って移動し得ると共に、シリンダーカム６３がガイド溝４１の第１端部４１ａ以外に位置されたときに、シャフト４８に対してシリンダーカム６３の回転が防止され、かつ、スライド規制部６４がガイド溝４１の長手方向と平行になっていないときには、シリンダーカム６３がガイド溝４１に沿って移動すなわちシリンダーカム６３のスライド移動が防止されるようになっている。
【００４２】
シリンダーカム６３の他方の端面（スライド規制部６４とは反対側の端面（第２端面６３ｂということがある。））には、その表面から突出する矩形状の係合凸部６３ｃが設けられている。この第２端面６３ｂにブラケット６１が当接するようにブラケット６１がシャフト４８の軸周りに設けられている。
【００４３】
ブラケット６１は、図１、図４、図５及び図１７に示すように、基部６１ａと取付部６１ｂとからなり、第２筐体３のブラケット取付部３ａに取り付けられるものである。基部６１ａは、略矩形平板状に形成されている。基部６１ａの一方の側部の両端部近傍には、基部６１ａの表面に対して直交する方向に折り曲げてなる取付部６１ｂが一体的にそれぞれ設けられている。これらの取付部６１ｂには、取付孔６１ｃがそれぞれ設けられている。基部６１ａの中央部には、シャフト４８のシャフト部４８ａが貫通する貫通孔６１ｄが設けられている。シリンダーカム６３と接する側の基部６１ａの表面には、シリンダーカム６３の係合凸部６３ｃと係合する矩形状の係合凹部６１ｅが設けられており、基部６１ａはシリンダーカム６３と一体的にシャフト４８の軸周りに回転するようになっている。この基部６１ａとシリンダーカム６３が係合したときの基部６１ａとシリンダーカム６３の長さが、シャフト４８のシャフト部４８ａの長さ（その軸方向の長さ）と略同じ寸法で形成されていることが好ましい。
【００４４】
反転制御機構６２は、シャフト４８に対するブラケット６１の回動範囲を１８０°に規制する回転規制部６５と、シャフト４８に対するブラケット６１を所定の位置にロック状態に保持する第２カム機構６６とで構成されていることが好ましい。
【００４５】
第２カム機構６６は、前記のブラケット６１と、シャフト４８の軸方向に移動可能でブラケット６１と面接触する反転カムであるカムフォロワー８１と、このカムフォロワー８１をブラケット６１に付勢する付勢手段８２と、ブラケット６１の接触面とカムフォロワー８１の接触面の少なくとも一方に設けられるカム反転凸部８３と、このカム反転凸部８３と係合してブラケット６１とカムフォロワー８１の位置を所定の位置にロック状態に保持し、カム反転凸部８３と対向するブラケット６１の接触面及び／又はカムフォロワー８１の接触面に設けられるカム反転凹部８４とで構成されていることが好ましい。
【００４６】
カムフォロワー８１は、図５及び図１９に示すように、例えば、円板状に形成されている。このカムフォロワー８１の中央部には、シャフト４８のカムフォロワー装着部４８ｄが貫通して嵌合される貫通孔８１ａが設けられており、カムフォロワー８１はシャフト４８の軸方向に移動可能であるが、その軸周りに回転できないようになっている。すなわち、カムフォロワー８１は、シャフト４８と共に回転し得るようになっている。
【００４７】
また、カムフォロワー８１の周面である側部の約９０°範囲の一部には、その径方向外方に延びる回動規制延出部８６が設けられている。また、ブラケット６１のカムフォロワー８１と接触する側の接触面であって、シャフト４８に対してブラケット６１が回動するときの回動規制延出部８６の軌跡上の面には、円弧状の回動規制突部８７が設けられている。回動規制突部８７は、ブラケット６１の貫通孔６１ｄを中心とした円弧状に形成されている。回動規制突部８７の円弧の範囲は約９０°であることが好ましい。これにより、シャフト４８に対するブラケット６１の回動範囲が１８０°に規制されるようになっている。すなわち、第１表示部１１が上面に位置された閉塞状態の第１筐体２及び第２筐体３を回動させてから反転させる場合、第１筐体２に対して第２筐体３を右回りに１８０°回動させて反転し得ると共に、その逆で、第２表示部１２が上面に位置された閉塞状態の第１筐体２及び第２筐体３を回動させてから反転させる場合、第１筐体２に対して第２筐体３を左回りに１８０°回動させて反転し得るようになっている。回動規制延出部８６と回動規制突部８７により回転規制部６５が構成されている。
【００４８】
カム反転凸部８３は、図５及び図１７に示すように、カムフォロワー８１の接触面及びブラケット６１の接触面のいずれか一方の接触面、例えば、ブラケット６１の接触面に設けられている。カム反転凸部８３は、ブラケット６１の接触面に１８０°間隔で２つ設けられている。すなわち、２つのカム反転凸部８３は、対称に設けられている。これらのカム反転凸部８３の形状は、特に限定されないが、先端部がＲ形状の略三角形状に突出して形成されている。カム反転凸部８３間の接触面は、平面状に形成されていることが好ましい。
【００４９】
カム反転凹部８４は、図５及び図１９に示すように、カムフォロワー８１の接触面及びブラケット６１の接触面のいずれか他方の接触面、例えば、カムフォロワー８１の接触面（カム反転凸部８３と対向する接触面）に４つ設けられている。４つのカム反転凹部８４は、９０°間隔で接触面に設けられており、例えば、回動角度が０°、９０°及び１８０°で２つのカム反転凸部８３と係合するように配置されていることが好ましい。また、４つのカム反転凹部８４以外の接触面は、平面状に形成されていることが好ましい。また、カムフォロワー８１の残りの面（付勢面ということがある。）は、平面状に形成されていることが好ましい。この付勢面とワッシャー８９の間には、付勢手段８２が設けられている。ワッシャー８９は、シャフト４８のワッシャー装着部４８ｆの軸周りに装着された後、例えばワッシャー装着部４８ｆの先端部をカシメることによりシャフト４８から抜け出ないようになっている。
【００５０】
付勢手段８２は、カムフォロワー８１をブラケット６１に押圧するように付勢するものであり、例えば、リング状の板バネ８２ａ等である。この板バネ８２ａは、シャフト４８のスプリング装着部４８ｅの外周に例えば互い違いに４つ設けられており、カムフォロワー８１をブラケット６１に押圧するように付勢するものである。これにより、カムフォロワー８１とブラケット６１の間に作用する摩擦力がそれぞれ大きくなってカムフォロワー８１とブラケット６１をその回動範囲の任意の位置で停止することができるようになっている。
【００５１】
また、本発明に係る携帯機器１は、図１及び図２に示すように、ロック機構９が設けられていることが好ましい。ロック機構９は、閉成状態の第１筐体２及び第２筐体３を互いにスライドさせるか、回動させるかのどちらか一方の移動のみを許容し、この一方の移動により閉成状態から閉成状態以外の状態になった第１筐体２及び第２筐体３の他方の移動を抑制するものである。すなわち、ロック機構９は、例えば、第１筐体２及び第２筐体３を互いにスライドさせて、閉成状態から閉成状態以外の状態になったときに、第１筐体２及び第２筐体３が回動しないようにすると共に、その逆の場合、第１筐体２及び第２筐体３を互いに回動させて、閉成状態から閉成状態以外の状態になったときに、第１筐体２及び第２筐体３がスライドしないようにするものである。
【００５２】
このロック機構９は、例えば、第１筐体２に設けられた回動部２１、２２と、これら回動部２１、２２及び第１筐体２の上面で形成される略凹部に嵌合されて回動部２１、２２間で第２筐体３を回動可能に支持すべく略凸状に形成された第２筐体３の第１側部３１と、第１側部３１及び回動部２１、２２の一方例えば第１側部３１に設けられた第１切欠部９１と、第１側部３１及び回動部２１、２２の他方例えば第１回動部２１に設けられ、第１筐体２及び前記第２筐体３が閉成状態のとき、第１筐体２及び第２筐体３のスライドを許容すると共に、第１筐体２及び第２筐体３がスライドして閉成状態以外のとき、第１切欠部９１と係合して第１筐体２及び第２筐体３の回動をロックする第２切欠部９２とで構成されていることが好ましい。
【００５３】
回動部２１、２２の第１筐体２の表面から突出する長さ及び幅は、図１、図２図、図３及び図７に示すように、いずれも第２筐体３の厚さとほぼ同じ寸法で形成されていることが好ましい。回動部２１、２２の先端部（突出先端部）は半円状で形成されていることが好ましい。回動部２１、２２に対する第２筐体３すなわちガイド筐体５１の回動軸は、先端部の半円の中心の近傍であることが好ましい。ガイド筐体５１の回動軸とスライド面５１ｃの間の寸法は、第２筐体３の幅未満の寸法で形成されていることが好ましい。
【００５４】
第２筐体３の第１側部３１は、図１、図２図、図３及び図８に示すように、回動部２１、２２及び第１筐体２の上面、実質的には、ガイド筐体５１のスライド面５１ａで形成される略凹部に嵌合されるように略凸状に形成されている。この第１側部３１の先端部の幅は、回動部２１、２２間の間隔より若干短い寸法で形成されていることが好ましい。第１側部３１がガイド筐体５１のスライド面５１ａに当接するようにブラケット６１に取り付けられることにより、第２筐体３がガイド筐体５１を介して回動可能に回動部２１、２２に支持されている。このとき、第１切欠部９１及び第２切欠部９２が設けられていない状態では、第１筐体２に対して第２筐体３は回動可能であるが、スライドできないようになっている。
【００５５】
第１切欠部９１は、例えば、第１側部３１の一方の側部、例えば、第２表示部１２側の側部をその長手方向全域に渡って切り欠いて形成されている。なお、第１切欠部９１は、閉成状態のときに第２筐体３の第１表示部１１が上面に位置されているときに、第１筐体２に対して第２筐体３がスライドし得るように第１側部３１の一方の側部に設けたが、これに限定されることはなく、例えば、第１側部３１の他方の側部に第１切欠部９１を設けて、第２表示部１２が上面に位置されたときにスライドし得るようにしても良い。また、第１切欠部９１を第１側部３１の両側部に設けて、第１表示部１１が上面に位置されたとき及び第２表示部１２が上面に位置されたときの両方の場合でスライドし得るようにしても良い。
【００５６】
第２切欠部９２は、図１、図２図、図３及び図７に示すように、第１回動部２１の内面側に設けられている。この第２切欠部９２は、例えば、閉塞状態の第２筐体３及び第１回動部２１を側面から目視したとき、第２筐体３の第１切欠部９１と第１側部３１の先端部に嵌合し得るように切り欠いて形成されている。これにより、第２切欠部９２は、第１筐体２及び第２筐体３がスライドし得ると共に、第１筐体２及び第２筐体３がスライドして閉成状態以外のとき、第１筐体２に対して第２筐体３が回動しようとしても第２筐体３の第１側部３１が第１回動部２１の第１切欠部９１に当接してその回動が防止されるようになっている。
【００５７】
また、ロック機構９は、第１筐体２に対する第２筐体３の回動角度が所定の角度例えば９０°になったときに、第１筐体２に対して第２筐体３を反転させる反転部９５、９６を備えていることが好ましい。反転部は、例えば、第２筐体３の第１側部３１に設けられる第１反転部９５と、回動部２１、２２、例えば、第２回動部２２に設けられる第２反転部９６とからなることが好ましい。
【００５８】
第１反転部９５は、第２筐体３の第１側部３１の先端部を形成する両端面３１ａであって、第２筐体３の厚さ方向の略中央部より一方の側部からその端部までの両端面３１ａを内側に湾曲状に形成してなるものである。第２反転部９６は、第２回動部２２の内面（第１回動部２１と対向する側の面）の先端部（上方）に第１筐体２の上面と略平行に切り欠くと共に、深さ方向（回動部２１、２２の対向方向）に湾曲状に形成されてなる。これにより、第１筐体２に対する第２筐体３の回動角度が９０°になると、第１反転部９５と第２反転部９６が係合して第１筐体２に対して第２筐体３が反転し得るようになっている。なお、第１表示部１１が上面に位置された閉塞状態に基づいて反転させる場合には、第１筐体２に対して第２筐体３を右回りに１８０°回動させて反転させると共に、その逆で、第２表示部１２が上面に位置された閉塞状態に基づいて反転させる場合、第１筐体２に対して第２筐体３を左回りに１８０°回動させて反転させるように、第１反転部９５及び第２反転部９６を形成したが、これに限定されるものではなく、第１筐体２に対する第２筐体３の反転方向に応じて第１反転部９５及び第２反転部９６を形成するようにすることが好ましい。
【００５９】
また、本発明に係る携帯機器１には、カバー１９が設けられている。カバー１９は、収容部５５を閉塞するものである。カバー１９は、図１及び図１９に示すように、例えば、装着部１９ａと閉塞部１９ｂとからなる。装着部１９ａは、ガイド筐体５１の第１端面５１ｄと第１回動部２１の間に挟持されるように設けられている。装着部１９ａの中央部には、第１回動凸部５３ａが挿入される貫通孔１９ｃが設けられている。装着部１９ａの下部が第１筐体２の挿入溝２４に挿入されて装着部１９ａが第１回動凸部５３ａに対して回動しないようになっている。装着部１９ａの上部近傍には、その表面から延びる閉塞部１９ｂが設けられている。閉塞部１９ｂは、挿入孔５６に挿入し得ると共に、挿入孔５６をその周方向に沿って移動し得るように円弧状に形成されている。閉塞部１９ｂは、挿入孔５６に挿入されて収容部５５の回転端部５５ａ近傍まで至る長さに形成されて、収容部５５を閉塞する。
【００６０】
なお、図１中、符号１５は配線を示し、この配線１５は第１筐体２と第２筐体３とが開閉動作しても第１筐体２と第２筐体３とを電気的に接続するように形成されている。
【００６１】
次に本発明に係る携帯機器の作用を説明する。
【００６２】
携帯機器１が使用されていない通常の状態では、第１筐体２と第２筐体３が互いに重なり合った閉成状態である（図３（ａ）参照。）。その第２筐体３の上面には、第１表示部１１とボタン１３が設けられている面が位置されている。この閉成状態のとき、キャリアー４５の係合凸部４６がスライドカバー４２ｂの第１係合凹部４７ａに係合してロック状態に保持されていると共に、凸部ユニット５７の第１カム７３が第２回動凹部５２ｂに係合してロック状態に保持されているので、第１筐体２と第２筐体３は閉成状態に確実に保持されている。
【００６３】
この携帯機器１を通常時に使用する場合には、第１筐体２に対して第２筐体３をスライドさせて第１筐体２の上面のキーボード部２ａを露出させ、開成状態（第１開成状態ということがある。）にする（図３（ｂ）参照。）。このとき、キャリアー４５の係合凸部４６がスライドカバー４２ｂの第２係合凹部４７ｂに係合してロック状態に保持されている。また、第１筐体２に対して第２筐体３がスライドすると、スライダー４３がガイド溝４１に沿って移動する。このとき、第２切欠部９２の近傍を第２筐体３の第１側部３１がスライドして、閉塞状態以外のときに第１筐体２に対して第２筐体３が回動しようとしても第２筐体３の第１側部３１が第１回動部２１の第１切欠部９１に当接してその回動が防止される。よって、第１開成状態では、第１表示部１１を縦長に利用して携帯機器１を安定に使用することができる。
【００６４】
このように、第１筐体２に対して第２筐体３をスライドさせて開閉操作を行うとき、係合凸部４６がスライドカバー４２ｂの表面に接触しつつ摺動しているために、第２筐体３のスライドを止めると、係合凸部４６の接触による摩擦力によって第２筐体３はその位置に停止する。すなわち、第１筐体２に対して第２筐体３をスライドさせるとき、そのスライドの途中でスライドを止めると、その位置に第２筐体３を停止することができる。
【００６５】
また、閉成状態においては、第１筐体２の上面のキーボード部２ａ等が第２筐体３によって閉塞されている回動角度が０°である。この閉成状態の携帯機器１の表示部を横長に利用する場合、例えば、第２表示部１２を横長に利用する場合には、第１筐体２に対して第２筐体３を第１筐体２から離れる方向に回動させる（開く）。これにより、回動角度が１５０°になると、カム凸部７６がカム凹部７７に入り込んで係合してロック状態に保持され、第２開成状態になる（図３（ｃ）参照。）。このとき、回動部２１、２２間に第２筐体３の第１側部３１が嵌合されているので、第１筐体２に対する第２筐体３のスライド及び反転が抑制される。よって、第２開成状態では、第２表示部１２を横長に利用して携帯機器１を安定に使用することができる。
【００６６】
このように、第１筐体２と第２筐体３を互いに回動させて開閉操作を行うとき、カム凸部７６がカム凹部７７から脱して第２カム７４のカム凹部７７以外の平面上の接触面に接触しつつ摺動しているために、第２筐体３の回動を止めると、カム凸部７６の接触による摩擦力によって第２筐体３はその位置に停止する。すなわち、回動角度がフリーストップ角度であれば、その角度に第２筐体３を停止することができる。
【００６７】
また、第２表示部１２を利用して動画を観たり、タッチパネル機能を使用したりする場合には、第１筐体２に対して第２筐体３を回動角度が９０°となるように回動させる（図３（ｄ）参照。）。回動後、第１反転部９５と第２反転部９６が向い合うので、第２筐体３をシャフト４８の軸周りにすなわち第１筐体２に対して第２筐体３を反転させる方向に力を加えると、第１反転部９５と第２反転部９６が係合して第１筐体２に対して第２筐体３が右回りに１８０°回動して反転する（図３（ｅ）及び（ｆ）参照。）。反転後、第１筐体２に対して第２筐体３を回動角度が０°となるように回動させる（閉める）（図３（ｇ）参照。）。これにより、第１筐体２の上面のキーボード部２ａ等が第２筐体３によって閉塞されると共に、その第２筐体３の上面に第２表示部１２を有する面が位置される。これにより、画面が大きな第２表示１２部によって動画を観たり、タッチパネル機能を使用することができ、しかも、閉成状態であるので筐体２、３が邪魔になることがない。
【００６８】
また、第２表示部１２が上面に位置された閉塞状態では、スライドさせようとしても、第１側部３１の他方の側部に第１切欠部９１が設けられていないので、第１側部３１が第１回動部２１に当接してスライドできない。このため、この閉塞状態では第１筐体２と第２筐体３とが互いにその表面の方向にずれることがないので、動画を観たり、タッチパネル機能を使用したりするときには、安定して行えることになる。
【００６９】
また、第２筐体３をシャフト４８の軸周りに１８０°回動させて反転させた後に（図３（ｅ）及び（ｆ）参照。）、第１筐体２に対して第２筐体３を回動角度が１５０°となるように回動させる（開ける）（図３（ｈ）参照。）。これにより、第１表示部１１を横長に利用して携帯機器１を安定に使用することができる。
【００７０】
したがって、本発明に係る携帯機器１は、スライド動作と回動動作が行える上に、第２筐体３を第１筐体２に反転した状態で重ね合わせて閉成状態を形成することができる。
【００７１】
凸部ユニット５７がガイド筐体５１の第２端面５１ｅのユニット収容部５１ｆに付勢手段例えばスプリング７９を介して嵌合されて収容されているために、第２回動凸部５３ｂである第１カム７３が第２回動凹部５２ｂと係合するように押圧されるので、第１筐体２に対する第２筐体の回動を確実に行うことができる。
【産業上の利用可能性】
【００７２】
以上説明したように本発明に係る携帯機器は、第１筐体と第２筐体を互いに重ね合わせた状態で相対的に直線方向に開閉可能にスライドさせるスライド機構と、第１筐体と第２筐体を直線方向と直交する方向へ相対的に開閉可能に回動させる回動機構と、第１筐体及び第２筐体のいずれか一方の筐体に対して他方の筐体を反転させる反転機構とを備えたことから、スライド動作と回動動作が行える上に、他方の筐体を一方の筐体に反転した状態で重ね合わせて閉成状態を形成することができるので、多機能な携帯機器に特に有用なものである。
【図面の簡単な説明】
【００７３】
【図１】本発明に係る携帯機器の一例を示す図で、（ａ）は斜視図、（ｂ）は分解斜視図である。
【図２】本発明に係る携帯機器の一例を示す図で、（ａ）は斜視図、（ｂ）は平面図、（ｃ）は底面図、（ｄ）は側面図である。
【図３】本発明に係る携帯機器の状態を示す斜視図で、（ａ）は閉成状態を示す図、（ｂ）は第１開成状態を示す図、（ｃ）は第２開成状態を示す図、（ｄ）は回動動作による開閉の中間の状態を示す図、（ｅ）は反転動作による中間の状態を示す図、（ｆ）は反転させた状態を示す図、（ｇ）は反転させた閉成状態を示す図、（ｈ）は反転させた第２開成態を示す図である。
【図４】本発明に係るスライド機構及び反転機構の一例を示す斜視図で、（ａ）は閉成状態を示す図、（ｂ）は第１開成状態を示す図、（ｃ）は反転動作による中間の状態を示す図、（ｄ）は反転させた状態を示す図である。
【図５】本発明に係るスライド機構及び反転機構の一例を示す分解斜視図である。
【図６】本発明に係る凸部ユニットの一例を示す図で、（ａ）は斜視図、（ｂ）は平面図、（ｃ）は（ｂ）中Ａ−Ａ線矢視断面図、（ｄ）は分解斜視図である。
【図７】本発明に係る第１筐体の一例を示す図で、（ａ）は斜視図、（ｂ）は背面図、（ｃ）は平面図、（ｄ）は側面図、（ｅ）は正面図である。
【図８】本発明に係る第２筐体の一例を示す図で、（ａ）は斜視図、（ｂ）は平面図、（ｃ）は正面図、（ｄ）は側面図である。
【図９】本発明に係るスライドベースの一例を示す図で、（ａ）は斜視図、（ｂ）は正面図、（ｃ）は平面図、（ｄ）は側面図である。
【図１０】本発明に係るスライドベースの一例を示す図で、（ａ）は斜視図、（ｂ）は背面図、（ｃ）は平面図、（ｄ）は側面図である。
【図１１】本発明に係るキャリアーの一例を示す図で、（ａ）は斜視図、（ｂ）は正面図、（ｃ）は側面図、（ｄ）は平面図である。
【図１２】本発明に係るシャフトの一例を示す図で、（ａ）は斜視図、（ｂ）は正面図、（ｃ）は側面図、（ｄ）は下面図である。
【図１３】本発明に係るガイド筐体の一例を示す図で、（ａ）は斜視図、（ｂ）は平面図、（ｃ）は正面図、（ｄ）は側面図、（ｅ）は側面図、（ｆ）は下面図である。
【図１４】本発明に係るケースの一例を示す図で、（ａ）は斜視図、（ｂ）は正面図、（ｃ）は側面図である。
【図１５】本発明に係る第１カムの一例を示す斜視図である。
【図１６】本発明に係る第２カムの一例を示す斜視図である。
【図１７】本発明に係るブラケットの一例を示す図で、（ａ）は斜視図、（ｂ）は平面図、（ｃ）は正面図、（ｄ）は側面図である。
【図１８】本発明に係るシリンダーカムの一例を示す図で、（ａ）は斜視図、（ｂ）は平面図、（ｃ）は正面図、（ｄ）は側面図、（ｅ）は背面図である。
【図１９】本発明に係るカムファロワーの一例を示す図で、（ａ）は斜視図、（ｂ）は側面図、（ｃ）は正面図、（ｄ）は側面図、（ｅ）は背面図である。
【図２０】本発明に係るカバーの一例を示す図で、（ａ）は斜視図、（ｂ）は正面図、（ｃ）は側面図である。
【符号の説明】
【００７４】
１  携帯機器
２  第１筐体
３  第２筐体
４  スライド機構
５  回動機構
６  反転機構
９  ロック機構
１０  ヒンジ装置
４１  ガイド溝
４２  ベース部材
４３  スライダー
４４  スライド移動制御部
４５  キャリアー
４８  シャフト（反転シャフト）
５１  ガイド筐体
５２  回動凹部
５３  回動凸部
５４  第１カム機構
５７  凸部ユニット
６１  ブラケット
６２  反転制御機構
６３  シリンダーカム
６５  回転規制部
６６  第２カム機構
７１  ケース
７２  回動シャフト
７３  第１カム
７４  第２カム
７５  付勢手段
７６  カム凸部
７７  カム凹部
８１  カムフォロワー（反転カム）
８２  付勢手段
８３  カム反転凸部
８４  カム反転凹部
９１  第１切欠部
９２  第２切欠部
【図１】
2006332331.tif 000003
【図２】
2006332331.tif 000004
【図３】
2006332331.tif 000005
【図４】
2006332331.tif 000006
【図５】
2006332331.tif 000007
【図６】
2006332331.tif 000008
【図７】
2006332331.tif 000009
【図８】
2006332331.tif 000010
【図９】
2006332331.tif 000011
【図１０】
2006332331.tif 000012
【図１１】
2006332331.tif 000013
【図１２】
2006332331.tif 000014
【図１３】
2006332331.tif 000015
【図１４】
2006332331.tif 000016
【図１５】
2006332331.tif 000017
【図１６】
2006332331.tif 000018
【図１７】
2006332331.tif 000019
【図１８】
2006332331.tif 000020
【図１９】
2006332331.tif 000021
【図２０】
2006332331.tif 000022